(57)【要約】【課題】人手を要さず、自動的に各制御機器が自機器のアドレスを設定する。【解決手段】照明制御信号に基づき照明負荷の照明状態を制御する複数の制御機器１０−１〜１０−ｎと；各制御機器１０−１〜１０−ｎにアドレスを設定するためのアドレス設定用信号を送信する操作手段３０と；各制御機器１０−１〜１０−ｎにアドレスを設定するためのアドレス設定用信号を送信するためのアドレス設定用ライン２４と；アドレス設定用ラインから取り込んだアドレス設定用信号に加工である遅延を加えて次の制御機器へ送信するアドレス信号処理手段を構成する遅延回路１２−１〜１２−ｎと；アドレス設定用ライン２４から取り込んだアドレス設定用信号に基づき自制御機器が使用するアドレスを設定するアドレス設定手段である検出手段１５及び設定手段１６とを具備する。【選択図】図２
2010103023.tif 000002
【特許請求の範囲】
【請求項１】
照明負荷が接続され、送信される自機器アドレスの照明制御信号を受け取って、該照明制御信号に基づき照明負荷の照明状態を制御する複数の制御機器と；
各制御機器にアドレスを設定するためのアドレス設定用信号を送信するアドレス設定用信号送信手段と；
複数の制御機器を接続し、各制御機器にアドレスを設定するためのアドレス設定用信号を送信するためのアドレス設定用ラインと；
複数の制御機器に備えられ、アドレス設定用ラインから取り込んだアドレス設定用信号に加工を加えて次の制御機器へ送信するアドレス信号処理手段と；
複数の制御機器に備えられ、アドレス設定用ラインから取り込んだアドレス設定用信号に基づき自制御機器が使用するアドレスを設定するアドレス設定手段と
を具備することを特徴とする照明システム。
【請求項２】
アドレス信号処理手段は、アドレス設定用ラインに接続され、各制御機器における前方と後方の少なくともいずれかの制御機器へのアドレス設定用信号の送信を遅延させる遅延回路を有しており、
アドレス設定手段は、アドレス設定用ラインから取り込んだアドレス設定用信号の遅延時間を求めて遅延時間に基づき通過した制御機器により使用されるアドレス数を求め、求まったアドレス数により自機器が用いるアドレスを検出することを特徴とする請求項１に記載の照明システム。
【請求項３】
アドレス設定用ラインが２本設けられ、
アドレス信号処理手段は、２本のアドレス設定用ラインの少なくとも一方に接続され、各制御機器における前方と後方の少なくともいずれかの制御機器側に配置される所定遅延量を有する遅延回路であり、
アドレス設定手段は、２本のアドレス設定用ラインから取り込んだアドレス設定用信号到達時間差から遅延時間を求めて遅延時間に基づき通過した制御機器により使用されるアドレス数を求め、求まったアドレス数により自機器が用いるアドレスを検出することを特徴とする請求項２に記載の照明システム。
【請求項４】
アドレス信号処理手段は、アドレス設定用ラインから取り込んだアドレス設定用信号に情報書き込みを行う手段であり、
アドレス設定手段は、アドレス設定用ラインから取り込んだアドレス設定用信号に書き込まれている情報を分析して通過した制御機器により使用されるアドレス数を求め、求まったアドレス数により自機器が用いるアドレスを検出することを特徴とする請求項１に記載の照明システム。
【請求項５】
アドレス設定用信号は、ＤＭＸ信号であり、
アドレス信号処理手段は、アドレス設定用ラインから取り込んだＤＭＸ信号の先頭側から変更されていない最初のチャネルを検出して、該最初のチャネルの情報を所定情報に変更して送信するものであり、
アドレス設定段は、アドレス設定用ラインから取り込んだＤＭＸ信号の先頭側から変更されているチャネル数に基づき通過した制御機器により使用されるアドレス数を求め、求まったアドレス数により自機器が用いるアドレスを検出することを特徴とする請求項４に記載の照明システム。
【発明の詳細な説明】
【技術分野】
【０００１】
この発明は、劇場やスタジオなどのように数多くのライトなどの照明負荷を用いて照明制御を行う照明システムに関し、特に、照明負荷が接続され、送られる自機器アドレスの照明制御信号を受け取って、該照明制御信号に基づき照明負荷の照明状態を制御する複数の制御機器が自動的に自機器アドレスの設定を行うようにした照明システムに関するものである。
【背景技術】
【０００２】
従来の制御機器におけるアドレス設定は、ディップスイッチなどの設定スイッチにより行っている（特許文献１、特に０００８欄参照）。また、設定されたアドレスに関するシフトを行う場合にも設定スイッチを用いて設定するものである（特許文献２参照）。
【特許文献１】特開平１０−１５４５８５号公報
【特許文献２】特開２００８−２３５１２２号公報
【０００３】
しかしながら、上記のように設定スイッチによる設定は煩わしく、また、作業員が行うものであるから、設定ミスが起こることもあり問題である。
【発明の開示】
【発明が解決しようとする課題】
【０００４】
特に、劇場やスタジオなどにおいては、演目等が変わる毎に照明負荷自体を取り換えたり、また、照明負荷の設置場所や接続順が変更されたりすることが通例であり、これに伴って制御機器のアドレス設定をやり直す必要があり、作業が大変であるという問題があった。
【０００５】
本発明は、上記のような従来の照明システムが有している問題点に鑑みてなされたもので、機器のアドレスを自動的に設定できる照明システムを提供することを目的とする。
【課題を解決するための手段】
【０００６】
本発明に係る照明システムは、照明負荷が接続され、送信される自機器アドレスの照明制御信号を受け取って、該照明制御信号に基づき照明負荷の照明状態を制御する複数の制御機器と；各制御機器にアドレスを設定するためのアドレス設定用信号を送信するアドレス設定用信号送信手段と；複数の制御機器を接続し、各制御機器にアドレスを設定するためのアドレス設定用信号を送信するためのアドレス設定用ラインと；複数の制御機器に備えられ、アドレス設定用ラインから取り込んだアドレス設定用信号に加工を加えて次の制御機器へ送信するアドレス信号処理手段と；複数の制御機器に備えられ、アドレス設定用ラインから取り込んだアドレス設定用信号に基づき自制御機器が使用するアドレスを設定するアドレス設定手段とを具備することを特徴とする。
【０００７】
アドレス設定用信号送信手段は、照明制御信号を送る調光制御卓等の操作手段に備えると好適である。アドレス設定用ラインは、アドレス設定用信号に加える加工に応じて、アドレスを送るラインと共用するか別に設ける。アドレス設定用信号に加える加工とは、信号に遅延を与えること、アドレス設定用信号の内容を書き換えること等を意味し、アドレス設定用信号を受け取ったときに、通過した制御機器により使用されるアドレス数を検出できるものであれば良い。
【０００８】
本発明に係る照明システムにおいては、アドレス信号処理手段は、アドレス設定用ラインに接続され、各制御機器における前方と後方の少なくともいずれかの制御機器へのアドレス設定用信号の送信を遅延させる遅延回路を有しており、アドレス設定手段は、アドレス設定用ラインから取り込んだアドレス設定用信号の遅延時間を求めて遅延時間に基づき通過した制御機器により使用されるアドレス数を求め、求まったアドレス数により自機器が用いるアドレスを検出することを特徴とする。
【０００９】
各制御機器における前方と後方とは、各制御機器に信号が流れ込む側を前方とし、各制御機器から信号が流れ出す側を後方とする。
【００１０】
本発明に係る照明システムにおいては、アドレス設定用ラインが２本設けられ、アドレス信号処理手段は、２本のアドレス設定用ラインの少なくとも一方に接続され、各制御機器における前方と後方の少なくともいずれかの制御機器側に配置される所定遅延量を有する遅延回路であり、アドレス設定手段は、２本のアドレス設定用ラインから取り込んだアドレス設定用信号到達時間差から遅延時間を求めて遅延時間に基づき通過した制御機器により使用されるアドレス数を求め、求まったアドレス数により自機器が用いるアドレスを検出することを特徴とする。
【００１１】
本発明に係る照明システムにおいては、アドレス信号処理手段は、アドレス設定用ラインから取り込んだアドレス設定用信号に情報書き込みを行う手段であり、アドレス設定手段は、アドレス設定用ラインから取り込んだアドレス設定用信号に書き込まれている情報を分析して通過した制御機器により使用されるアドレス数を求め、求まったアドレス数により自機器が用いるアドレスを検出することを特徴とする。
【００１２】
情報書き込みにおいては、Ｎビットのフラグを１ビットづつセットするようにしても良く、数字を書き込むこと、所定の情報を書き込むこと等を許容する。
【００１３】
本発明に係る照明システムにおいては、アドレス設定用信号は、ＤＭＸ信号であり、アドレス信号処理手段は、アドレス設定用ラインから取り込んだＤＭＸ信号の先頭側から変更されていない最初のチャネルを検出して、該最初のチャネルの情報を所定情報に変更して送信するものであり、アドレス設定段は、アドレス設定用ラインから取り込んだＤＭＸ信号の先頭側から変更されているチャネル数に基づき通過した制御機器により使用されるアドレス数を求め、求まったアドレス数により自機器が用いるアドレスを検出することを特徴とする。
【発明の効果】
【００１４】
本発明に係る照明システムによれば、アドレス設定用ラインから取り込んだアドレス設定用信号に加工を加えて次の制御機器へ送信し、アドレス設定用ラインから取り込んだアドレス設定用信号に基づき通過した制御機器により使用されるアドレス数を求め、求まったアドレス数により自機器が用いるアドレスを検出し、検出されたアドレスに基づき自機器アドレスを設定するので、人手を要することなく、自機器アドレスが自動設定される。
【００１５】
本発明に係る照明システムによれば、アドレス信号処理手段は、所定遅延量を有する遅延回路であり、アドレス設定手段は、アドレス設定用ラインから取り込んだアドレス設定用信号の遅延時間を求めて遅延時間に基づき通過した制御機器により使用されるアドレス数を求め、求まったアドレス数により自機器が用いるアドレスを検出するので、遅延時間を用いて人手を要することなく、自機器アドレスが自動設定される。
【００１６】
本発明に係る照明システムによれば、２本のアドレス設定用ラインから取り込んだアドレス設定用信号到達時間差から遅延時間を求めて遅延時間に基づき通過した制御機器により使用されるアドレス数を求め、求まったアドレス数により自機器が用いるアドレスを検出するので、２本のアドレス設定用ラインによる遅延時間を用いて人手を要することなく、自機器アドレスが自動設定される。
【００１７】
本発明に係る照明システムによれば、アドレス設定用ラインから取り込んだアドレス設定用信号に情報書き込みを行い、アドレス設定用ラインから取り込んだアドレス設定用信号に書き込まれている情報を分析して通過した制御機器により使用されるアドレス数を求め、求まったアドレス数により自機器が用いるアドレスを検出するので、制御機器における情報の書き込みにより人手を要することなく、自機器アドレスが自動設定される。
【００１８】
本発明に係る照明システムによれば、制御機器における情報の書き込みにＤＭＸ信号をチャネル単位で利用しているので、ＤＭＸ信号を用いて人手を要することなく、自機器アドレスが自動設定される。
【発明を実施するための最良の形態】
【００１９】
以下添付図面を参照して、本発明に係る照明システムの実施例を説明する。各図において、同一の構成要素には同一の符号を付して重複する説明を省略する。図１には、本発明に係る照明システムの第１の実施例が示されている。この実施例に係る照明システムにおいては、複数の制御機器１０−１〜１０−ｎが信号線２１により調光操作卓等の操作手段３０と接続されている。制御機器１０−１〜１０−ｎには、中央処理部１１−１〜１１−ｎが備えられ、中央処理部１１−１〜１１−ｎには、スポットライトなどの照明負荷４０−１〜４０−ｎが接続されている。
【００２０】
操作手段３０からは、信号線２１を介してアドレス及び照明制御信号が中央処理部１１−１〜１１−ｎへ送られる。中央処理部１１−１〜１１−ｎは、信号線２１を介して自機器に設定されたアドレスと共に送られてくる照明制御信号を受け取り、この照明制御信号対応して照明負荷４０−１〜４０−ｎの点灯消灯或いは調光制御などの照明制御を行う。
【００２１】
制御機器１０−１〜１０−ｎには、例えば１０ｍｓの信号遅延を生じさせる遅延回路１２−１〜１２−ｎが備えられており、遅延回路１２−１〜１２−ｎと操作手段３０はアドレス設定用ライン２２、２３のそれぞれによりループ状に接続されており、操作手段３０はアドレス設定用ライン２２、２３へアドレス設定用信号を同時に送出する。このように、操作手段３０は各制御機器にアドレスを設定するためのアドレス設定用信号を送信するアドレス設定用信号送信手段として機能する。アドレス設定用信号は例えば２周すれば、十分である。アドレス設定用ライン２２を通過する信号は、遅延回路１２−１、１２−２、・・・と進み、アドレス設定用ライン２３を通過する信号は上記とは逆に、遅延回路１２−ｎ、１２−（ｎ−１）、・・・と進む。遅延回路１２−１〜１２−ｎは、アドレス設定用ライン２２、２３から取り込んだアドレス設定用信号に加工を加えて次の制御機器へ送信するアドレス信号処理手段を構成する。
【００２２】
中央処理部１１−１〜１１−ｎは、制御機器１０−１〜１０−ｎ内の遅延回路１２−１〜１２−ｎに接続され、アドレス設定用ライン２２、２３からアドレス設定用信号を取り込む。アドレス設定用ライン２２については、各制御機器１０−１〜１０−ｎに信号が流れ込む側である前方に遅延回路１２−１〜１２−ｎが配置されており、アドレス設定用ライン２３については、各制御機器から信号が流れ出す側である後方に遅延回路１２−１〜１２−ｎが配置されている。この構成により、中央処理部１１−１〜１１−ｎは、アドレス設定用ライン２２によって制御機器１０−１から制御機器１０−ｎに向かう方向の遅延回路１２−１〜１２−ｎにより順次蓄積された遅延を受けたアドレス設定用信号を取り込み、アドレス設定用ライン２３によって制御機器１０−１から制御機器１０−ｎに向かう方向の遅延回路１２−ｎ〜１２−１により順次蓄積された遅延を受ける前の信号を取り込む。
【００２３】
中央処理部１１−１〜１１−ｎにはそれぞれ、検出手段１５、設定手段１６が備えられている。この検出手段１５と設定手段１６とは、アドレス設定用ラインから取り込んだアドレス設定用信号に基づき自制御機器が使用するアドレスを設定するアドレス設定手段を構成する。検出手段１５は、アドレス設定用ライン２２、２３から取り込んだアドレス設定用信号に基づき通過した制御機器により使用されるアドレス数を求め、求まったアドレス数により自機器が用いるアドレスを検出するものである。具体的には、アドレス設定用ライン２３を介してアドレス設定用信号が第１回目に到達した時刻と、同じアドレス設定用ライン２３を介してアドレス設定用信号が第２回目に到達した時刻との差から、接続されている制御機器により使用されるアドレスの総数ｎ（ここでは、制御機器の総数ｎと同じ）を求める。制御機器により使用されるアドレスの総数ｎは、第１回目と第２回目に到達した時刻との差を１０ｍｓで割ることによって求めることができる。
【００２４】
次に、中央処理部１１−１〜１１−ｎは、検出手段１５として、アドレス設定用ライン２２を介してアドレス設定用信号が到達した時間Ｔ１と、アドレス設定用ライン２３を介してアドレス設定用信号が到達した時間Ｔ２との差（Ｔ２−Ｔ１）を一つの遅延回路による遅延時間１０ｍｓで割って得られる数Ｓを、制御機器により使用されたアドレスの総数ｎから引いて１／２倍して自機器が用いるアドレス（第Ｍ番目）を検出する。
【００２５】
図２は、ｎを１０とした場合の各制御機器において求められる自機器が用いるアドレス（第Ｍ番目）の算出過程を示している。各設定手段１６は、上記のようにして検出手段１５により検出された自機器が用いるアドレスに基づき自機器アドレスを設定するものである。ここでは、求められた自機器が用いるアドレス（第Ｍ番目）を保持し、中央処理部１１−１〜１１−ｎが照明制御信号を取り込む場合のアドレスとしている。例えば、ＤＸＭ信号により信号線２１に照明制御信号を送信する場合には、自機器が用いるアドレス（第Ｍ番目）のチャネルから照明制御信号を取り込んで照明制御を行う。なお、本実施例によれば、操作手段３０がアドレス設定用信号の遅延時間に基づき制御機器の総数ｎを検出することができる。
【００２６】
図３には、第２の実施例に係る照明システムの構成図が示されている。この実施例では、アドレス設定用ライン２４、２５を用いている。アドレス設定用ライン２４は、遅延回路１２−１〜１２−ｎを介してアドレス設定用信号を伝送するために用いられ、アドレス設定用ライン２５は、アドレス設定用信号について遅延回路１２−１〜１２−ｎを通過させず伝送するために用いられる。
【００２７】
操作手段３０からはアドレス設定用ライン２４、２５へ同時にアドレス設定用信号が送出される。中央処理部１１−１〜１１−ｎは、アドレス設定用ライン２４から自制御機器１０−１〜１０−ｎ内の遅延回路１２−１〜１２−ｎにより遅延を受けたアドレス設定用信号を取り込み、アドレス設定用ライン２５から遅延回路１２−１〜１２−ｎのいずれも経ていないアドレス設定用信号を取り込む。
【００２８】
検出手段１５は、アドレス設定用ライン２５から取り込んだアドレス設定用信号の到着時間と、アドレス設定用ライン２４から取り込んだアドレス設定用信号の到着時間との時間差に基づき通過した制御機器により使用されるアドレス数を求め、求まったアドレス数により自機器が使用するアドレスを検出するものである。つまり、アドレス設定用ライン２５による遅延時間は遅延回路１２−１〜１２−ｎによる遅延時間からみて無視できるものであり、上記時間差を遅延回路１２−１〜１２−ｎそれぞれの遅延時間（１０ｍｓ）により割ることで、自制御機器を含む通過した制御機器により使用されるアドレス数が求まるので、このアドレス数を自機器が使用するアドレス（第Ｍ番目の制御機器が使用するアドレス）とする。
【００２９】
各設定手段１６は、上記のようにして検出手段１５により検出された自機器が使用するアドレスに基づき自機器アドレスを設定するものであり、求められたアドレス（第Ｍ番目の制御機器が使用するアドレス）を保持し、中央処理部１１−１〜１１−ｎが照明制御信号を取り込む場合のアドレスとする。
【００３０】
なお、上記においては、操作手段３０からアドレス設定用ライン２４、２５へ同時にアドレス設定用信号を送出したが、操作手段３０よりアドレス設定用ライン２５を介して時刻同期信号及び時刻情報を送信し、アドレス設定用ライン２４へアドレス設定用信号を送信する時刻を通知しておき、その時刻にアドレス設定用ライン２４アドレス設定用信号を送出しても良い。この場合は、中央処理部１１−１〜１１−ｎがタイマを用いて遅延時間を求めることになる。また、操作手段３０よりアドレス設定用ライン２４を介して時刻情報を送信して通知し、通知の時刻にアドレス設定用ライン２４へアドレス設定用信号を送信するようにしても良い。この場合に通知する時刻は、遅延を考慮し全制御機器への通知が終了した後の時刻とする必要がある。いずれの場合にも、中央処理部１１−１〜１１−ｎがタイマに基づき上記通知内容の時刻とアドレス設定用ライン２４から取り込んだアドレス設定用信号の到着時刻との時間差に基づき通過した制御機器により使用されるアドレス数を求める。操作手段３０よりアドレス設定用ライン２４を介して時刻情報を送信して通知する場合には、アドレス設定用ライン２５を不要とすることができる。
【００３１】
図４には、第３の実施例に係る照明制御システムの構成図が示されている。操作手段３０Ａからは、信号線２６と分配器５０を介してアドレス及び照明制御信号が制御機器１０Ａ−１〜１０Ａ−ｎへ送られる。制御機器１０Ａ−１〜１０Ａ−ｎはアドレス設定用ライン２７によって順次接続されている。
【００３２】
操作手段３０Ａからは、アドレス設定用ライン２７を介して、所定チャネルに区分され、各チャネルに所定ビットの情報をセット可能なアドレス設定用信号が送出される。操作手段３０Ａから送出されるアドレス設定用信号は、図４の最左位置に示されるように、全チャネルに同じ情報（例えば、０ｘＡＡ）がセットされて送出される。
【００３３】
制御機器１０Ａ−１〜１０Ａ−ｎは、図５に示すように、アドレス設定部５１と照明制御部５２とを有している。アドレス設定部５１には、検出手段５３と設定手段５４とアドレス信号処理手段５５が備えられており、照明制御部５２には、照明制御処理手段５６が備えられている。検出手段５３と設定手段５４とは、アドレス設定用ラインから取り込んだアドレス設定用信号に基づき自制御機器が使用するアドレスを設定するアドレス設定手段を構成する。
【００３４】
また、アドレス設定部５１にはアドレス設定用信号バッファ５９が付設され、照明制御部５２には制御信号バッファ５７が付設され、アドレス設定部５１及び照明制御部５２には双方からアクセス可能なアドレスメモリ５８が備えられている。
【００３５】
上記のアドレス信号処理手段５５は、アドレス設定用ライン２７から取り込んだアドレス設定用信号に情報書き込みを行うものであり、アドレス設定用信号のチャネルを先頭側から検索して、操作手段３０Ａから送出された情報（例えば、０ｘＡＡ）がセットされている最初のチャネルを検出し、当該チャネルの情報を別の所定情報（例えば、０ｘＢＢ）に書き換えるものである。これにより、アドレス設定用信号は各制御機器を通過する如似、図４の下部に示されているように変更されてゆく。採用した照明負荷の特性によって、制御機器が、信号線２６を介して到来するアドレス及び照明制御信号を複数チャネル分用いる場合には、操作手段３０Ａから送出された情報（例えば、０ｘＡＡ）がセットされている最初のチャネルから必要な数のチャネルの情報を上記のように書き換える。書き換えられたアドレス設定用信号は、アドレス設定用信号バッファ５９を介してアドレス設定用ライン２７へ送出される。
【００３６】
検出手段５３は、アドレス設定用ライン２７から取り込んだアドレス設定用信号に書き込まれている情報を分析して通過した制御機器により使用されるアドレス数を求め、求まったアドレス数により自機器が用いるアドレスを検出するものであり、具体的には、アドレス設定用信号のチャネルを先頭側から検索して、操作手段３０Ａから送出された情報（例えば、０ｘＡＡ）とは別の所定情報（例えば、０ｘＢＢ）がセットされているチャネルの数を検出し、当該チャネル数により制御機器により使用されるアドレス数を求め、操作手段３０Ａから送出された情報（例えば、０ｘＡＡ）がセットされている最初のチャネルを検出し、当該チャネル番号を自機器が用いるアドレスとする。
【００３７】
前述の通り、信号線２６を介して到来するアドレス及び照明制御信号を複数チャネル分用いる制御機器によって、操作手段３０Ａから送出された情報（例えば、０ｘＡＡ）とは別の所定情報（例えば、０ｘＢＢ）が複数チャネル書き込まれるが、この場合にも操作手段３０Ａから送出された情報（例えば、０ｘＡＡ）がセットされている最初のチャネルを検出し、当該チャネル番号を自機器が用いるアドレスとする。
【００３８】
設定手段５４は、検出手段５３により検出されたアドレスを自機器アドレスとしてアドレスメモリ５８に設定する。アドレスメモリ５８に設定されたアドレスは、照明制御処理手段５６が参照することができる。つまり、信号線２６を介してアドレス及び照明制御信号が分配器５０を介して制御機器１０Ａ−１〜１０Ａ−ｎへ送られると、照明制御部５２の制御信号バッファ５７に保持され、アドレスメモリ５８に設定されたアドレス対応のアドレスを有する照明制御信号を取り出して、この照明制御信号対応して照明負荷４０−１〜４０−ｎの点灯消灯或いは調光制御などを行う。
【００３９】
図６には、第４の実施例に係る照明システムの実施例が示されている。操作手段３０Ｂからは、信号線２８を介して制御機器１０Ｂ−１〜１０Ｂ−ｎが順次接続されている。信号線２８は、ＤＭＸ信号を伝送する信号線である。
【００４０】
ＤＭＸ信号は、米国劇場技術協会（ＵＳＩＴＴ）が規格した演出分野などに用いられるディジタル信号であり、調光制御用の調光信号の規格として用いられているＤＭＸ５１２を指している。ＤＭＸ５１２は、スタートビットとストップビットに挟まれたそれぞれが８ビットにより構成されるチャネルが５１２チャネル多重化された構成を１フレームとする信号であり、上記５１２チャネルにおける所定の１チャネルが１つの調光器へ調光制御を行う２５６階調（８ビット）の調光信号とされる。１フレームの開始検出は、ブレーク（ＢＲＥＡＫ）とスタートコードを検出することにより行われる。また、各調光装置に含まれている調光器に対応するチャネルは、上記フレームの開始からスタートビットとストップビットに挟まれたチャネルが幾つ到来したかをカウントして検出する。
【００４１】
操作手段３０Ｂには、アドレス設定モードを指示するためのスイッチ３１が設けられており、このスイッチ３１が操作されると操作手段３０Ｂからは、信号線２８へＤＭＸ５１２のフォーマットを有するが、所定チャネルにアドレス設定用信号であることを示す所定ビット列を有する識別情報がセットされたアドレス設定用信号が送出される。ＤＭＸ５１２フォーマットを有するアドレス設定用信号は、所定チャネルにアドレス設定用信号であることを示す所定ビット列を有する識別情報がセットされている以外は、全チャネルに同じ情報（例えば、０ｘＡＡ）がセットされて送出される。上記のスイッチ３１が操作されていない場合には、信号線２８へ通常のＤＭＸ５１２のＤＭＸ信号が送出される。
【００４２】
制御機器１０Ｂ−１〜１０Ｂ−ｎの構成は、図７に示すように、図５の制御機器１０Ａ−１〜１０Ａ−ｎの構成と一部が同一であり、アドレス設定部５１Ｂと照明制御部５２Ｂとを有し、これ以外に信号判定部６０を備えている。信号判定部６０には、受信バッファ６１ａ、６１ｂ、これらの受信バッファ６１ａ、６１ｂに接続された判定手段６１が設けられ、更に、判定手段６１とアドレス設定部５１Ｂと照明制御部５２Ｂからアクセス可能な判定結果保持部６２が付設されている。判定手段６１は、信号線２８を介して到来する信号の所定チャネルを検索して、アドレス設定用信号であることを示す識別情報がセットされているか否かを検出して、識別情報がセットされている場合にはアドレス設定用信号である旨の情報を判定結果保持部６２に保持させ、識別情報がセットされていない場合には照明制御信号である旨の情報を判定結果保持部６２に保持させる。
【００４３】
判定手段６１は、判定結果保持部６２にアドレス設定用信号であることを示す識別情報を保持させた場合には、取り込んだアドレス設定用信号を受信バッファ６１ａへ保持させ判定結果保持部６２に照明制御信号である旨の情報を保持させた場合には、取り込んだＤＭＸ信号を受信バッファ６１ｂへ保持させる。アドレス設定部５１Ｂのアドレス信号処理手段５５には、次の制御機器へ送るアドレス設定用信号を保持させるアドレス設定用信号バッファ５９が付設されていると共にＬＥＤ表示器６６が接続されている。照明制御部５２Ｂには、次の制御機器へ送るＤＭＸ信号を保持させるＤＭＸ信号バッファ６７が付設されている。
【００４４】
アドレス信号処理手段５５は、判定結果保持部６２にアドレス設定用信号である旨の情報がセットされた場合に動作し、信号線２８から取り込み受信バッファ６１ａに保持されているアドレス設定用信号に情報書き込みを行うものである。具体的には、アドレス設定用信号のチャネルを先頭側から検索して、操作手段３０Ｂから送出された情報（例えば、０ｘＡＡ）がセットされている最初のチャネルを検出し、当該チャネルの情報を別の所定情報（例えば、０ｘＢＢ）に書き換えるものである。この実施例では、アドレス設定用信号がＤＭＸ５１２フォーマットを有するので、操作手段３０Ｂから送出された情報（例えば、０ｘＡＡ）やこれを書き換えた別の所定情報（例えば、０ｘＢＢ）は、ＤＭＸ信号として処理される誤処理の場合に備えて、調光レベルとしては極めて低いレベルのＤＭＸ信号値とすることが望ましい。この制御機器が、信号線２８を介して到来するＤＭＸ信号を複数チャネル分用いる場合には、操作手段３０Ｂから送出された情報（例えば、０ｘＡＡ）がセットされている最初のチャネルから必要数のチャネルの情報を上記のように書き換える。書き換えられたアドレス設定用信号は、アドレス設定用信号バッファ５９を介して信号線２８へ送出される。アドレス信号処理手段５５は、この処理の後にＬＥＤ表示器６６を点灯させて、アドレスが更新されたことを報知するので、オペレータはアドレス更新済みを確認することができる。
【００４５】
検出手段５３は、判定結果保持部６２にアドレス設定用信号である旨の情報がセットされた場合に動作し、受信バッファ６１ａに保持されたアドレス設定用信号に書き込まれている情報を分析して通過した制御機器により使用されるアドレス数を求め、求まったアドレス数により自機器が用いるアドレスを検出するものであり、第３の実施例において説明した構成を有する。
【００４６】
また、到来するＤＭＸ信号を複数チャネル分用いる制御機器によって、操作手段３０Ｂから送出された情報（例えば、０ｘＡＡ）とは別の所定情報（例えば、０ｘＢＢ）が複数チャネル書き込まれるが、この場合にも検出手段５３は、操作手段３０Ｂから送出された情報（例えば、０ｘＡＡ）がセットされている最初のチャネルを検出し、当該チャネル番号を自機器が用いるアドレスとする。
【００４７】
設定手段５４は、検出手段５３により検出されたアドレスを自機器アドレスとしてアドレスメモリ５８に設定する。アドレスメモリ５８に設定されたアドレスは、照明制御処理手段５６が参照することができる。つまり、信号線２８を介してＤＭＸ信号が制御機器１０Ａ−１〜１０Ａ−ｎへ送られると、判定結果保持部６２にＤＭＸ信号である旨の情報がセットされ、受信バッファ６１ｂにＤＭＸ信号が保持されるので、照明制御部５２の照明制御処理手段５６が動作を行う。照明制御処理手段５６は、アドレスメモリ５８に設定されたアドレス対応のチャネルにセットされているＤＭＸ信号を照明制御信号として取り出し、この照明制御信号対応して照明負荷４０−１〜４０−ｎの点灯消灯或いは調光制御などを行う。信号線２８を介して到来したＤＭＸ信号は、ＤＭＸ信号バッファ６７へ保持され、このＤＭＸ信号バッファ６７を介して信号線２８へ送出され次段の制御機器へ送られる。
【図面の簡単な説明】
【００４８】
【図１】本発明に係る照明システムの第１の実施例の構成を示すブロック図。
【図２】本発明に係る照明システムの第１の実施例における処理において、自機器が用いるアドレス（第Ｍ番目）の算出過程を示す図。
【図３】本発明に係る照明システムの第２の実施例の構成を示すブロック図。
【図４】本発明に係る照明システムの第３の実施例の構成を示すブロック図。
【図５】本発明に係る照明システムの第３の実施例の要部構成を示すブロック図。
【図６】本発明に係る照明システムの第４の実施例の構成を示すブロック図。
【図７】本発明に係る照明システムの第４の実施例の構成を示すブロック図。
【符号の説明】
【００４９】
１０−１〜１０−ｎ  制御機器
１２−１〜１２−ｎ  遅延回路
１５、５３  検出手段
１６、５４  設定手段
３０、３０Ａ、３０Ｂ  操作手段
５１、５１Ｂ  アドレス設定部
５２、５２Ｂ  照明制御部
５５  アドレス信号処理手段
５６  照明制御処理手段
６０  信号判定部
６１  判定手段
６２  判定結果保持部
【図１】
2010103023.tif 000003
【図２】
2010103023.tif 000004
【図３】
2010103023.tif 000005
【図４】
2010103023.tif 000006
【図５】
2010103023.tif 000007
【図６】
2010103023.tif 000008
【図７】
2010103023.tif 000009